(57)【要約】【課題】            画板の挟持力が強く、使用寿命が長く、かつ簡易な構造のイーゼルの挟持構造を提供する。【解決手段】        本体と、調整部材と、係合部材と、軸桿とによってなり、イーゼルの支持脚上に設ける挟持構造であって、該本体は、長手方向の一端を、該調整部材挿入する開口端とし、かつ側面に第１孔部と、第２孔部とを穿設し、該調整部材は一端に画板の位置決め、もしくは挟持を行う拘止部を形成し、該係合部材の一端には、両端の開口が該第１孔部と、第２孔部とに対応する軸孔を横方向に貫通するように形成し、該軸軸桿を該本体の第１孔部から挿入し、かつ該係合部材に挿通させて、該係合部材を該本体に回動自在に設ける。【選択図】          図２
2005342346.tif 000002
【特許請求の範囲】
【請求項１】
本体と、調整部材と、係合部材と、軸桿とを含んでなり、イーゼルの支持脚上に設ける挟持構造であって、
前記本体は、長手方向の一端を、前記調整部材挿入する開口端とし、かつ側面に第１孔部と、第２孔部とを穿設し、
前記調整部材は一端に画板の位置決め、もしくは挟持を行う拘止部を形成し、
前記係合部材の一端には、両端の開口が前記第１孔部と、第２孔部とに対応する軸孔を横方向に貫通するように形成し、
前記軸桿を前記本体の第１孔部から挿入し、かつ前記係合部材に挿通させて、前記係合部材を該本体に回動自在に設けることを特徴とする、イーゼルの挟持構造。
【請求項２】
前記係合部材の前記軸孔を形成する一端をカム状に形成することを特徴とする、請求項１に記載のイーゼルの挟持構造。
【請求項３】
前記係合部材の一端に突起部を形成することを特徴とする、請求項１に記載のイーゼルの挟持構造。
【請求項４】
前記係合部材の前記軸孔を形成する一端と対向する他端に突起部を形成することを特徴とする、請求項１に記載のイーゼルの挟持構造。
【発明の詳細な説明】
【技術分野】
【０００１】
この発明はイーゼルに関し、とくに画板の挟持、位置決めを行うためのイーゼルの挟持構造に関する。
【背景技術】
【０００２】
写生、もしくは絵を描く場合、風景に注目したり、画板を手で持つ際の疲労を減少させたりするために、通常イーゼルを利用して画板を固定する。しかるに、従来のイーゼルの挟持構造は複雑で、製造コストが高い。しかも挟持力が弱く、画板の位置が容易にずれるという問題があった。
【０００３】
図１に従来のイーゼルを開示する。従来のイーゼル（１）は、複数の固定脚（１１）と、挟持部（２）とによって成り、該挟持部（２）は、長手方向にガイド溝（２１１）が形成され、かつ両端縁部が下方に折れ曲がって延伸し突縁（２１２）（２１３）をそれぞれ形成する作動ユニット（２１）と、前記ガイド溝（２１１）を貫通して設けられる制動桿（２２）を含んで成る。
【０００４】
作動ユニット（２１）の一方の突縁（２１２）には、孔部（２１２０）を穿設し、制動桿（２２）の該孔部（２１２０）に対応する位置にリベット連結孔（２２１）を形成し、連結桿（２３）の一端を該リベット連結孔（２２１）に連結する。連結桿（２３）は、例えばコイルバネなどである弾性部材（２４）を嵌挿させて、他端を作動ユニット（２１）の孔部（２１２０）に挿通させている。よって、突縁（２１２）を押圧すると、作動ユニット（２１）が移動し、押圧が解除されると弾性部材（２４）の付勢力によって作動ユニット（２１）が逆方向に移動し、一方の突縁（２１３）が画板（Ｃ）を挟持する。
【０００５】
上述した従来の構造は、位置決め構造が複雑で、製造コストが高く、挟持力が弱いのみならず、弾性部材の材質に疲労が発生して弾性が容易に失わる。このため使用寿命が短いという欠点も有する。したがって、これら欠点の改善が望まれている。
【発明の開示】
【発明が解決しようとする課題】
【０００６】
この発明の目的は、画板の挟持力を強化したイーゼルの挟持構造を提供せんとするにある。
【０００７】
次に、この発明の目的は、弾性部材の疲労を抑止し、長い使用寿命が得られるイーゼルの挟持構造を提供せんとするにある。
【課題を解決するための手段】
【０００８】
本発明者は従来の技術に見られる上記欠点に鑑み鋭意研究を重ねた結果、本体と、該本体に摺動自在に設け、画板の位置決めと挟持作用を有する調整部材と、前記本体に回動自在に設けられ、前記調整部材の制動作用を有する係合部材と、軸桿と、によってなるイーゼルの挟持構造によって課題を解決できる点に着眼し、かかる知見に基づいて本発明を完成させた。
【０００９】
以下、この発明について具体的に説明する。
【００１０】
請求項１に記載するイーゼルの挟持構造は、本体と、調整部材と、係合部材と、軸桿とを含んでなり、イーゼルの支持脚上に設ける挟持構造であって、
前記本体は、長手方向の一端を、前記調整部材へ挿入する開口端とし、かつ側面に第１孔部と、第２孔部とを穿設し、
前記調整部材は一端に画板の位置決め、もしくは挟持を行う拘止部を形成し、
前記係合部材の一端には、両端の開口が前記第１孔部と前記第２孔部とに対応する軸孔を横方向に貫通するように形成し、
前記軸軸桿を前記本体の第１孔部から挿入し、かつ前記係合部材に挿通させて、前記係合部材を前記本体に回動自在に設ける。
【００１１】
請求項２に記載するイーゼルの挟持構造は、請求項１における係合部材の該軸孔を形成する一端をカム状に形成する。
【００１２】
請求項３に記載するイーゼルの挟持構造は、請求項１における係合部材の一端に突起部を形成する。
【００１３】
請求項４に記載するイーゼルの挟持構造は、請求項１における係合部材の前記軸孔を形成する一端と対向する他端に突起部を形成する。
【発明の効果】
【００１４】
本発明のイーゼルの挟持構造は、構成が簡略化され、製造コストを低減させるとともに、画板の確実な位置決め、挟持効果が得られ、かつ使用寿命が長いという利点がある。
【発明を実施するための最良の形態】
【００１５】
この発明は、画板の挟持、位置決めを行うためのイーゼルの挟持構造を提供するものであって、本体と、前記本体に摺動自在に設け、画板の位置決めと挟持作用を有する調整部材と、前記本体に回動自在に設けられ、前記調整部材の制動作用を有する係合部材と、軸桿とによって構成する。
【００１６】
係る構成の挟持構造について、その構造と特徴を詳述するために具体的な実施例を挙げ、以下に説明する。
【実施例１】
【００１７】
この発明によるイーゼルの挟持構造（３）は、図２に開示したように、支持脚（４）上に設ける。図３、４に開示するように、挟持構造（３）は、少なくとも本体（３１）と、調整部材（３２）と、係合部材（３３）と、軸桿（３４）と、を含んでなる。
【００１８】
本体（３１）は、長手方向の一端を、調整部材（３２）挿入する開口端（３１１）とし、かつ側面に第１孔部（Ａ）と、第２孔部（Ａ’）を穿設する。調整部材（３２）は、画板（５）の位置決め、もしくは挟持作用を有する拘止部（３２１）を一端に形成する。係合部材（３３）は、一端を横方向に貫通する軸孔を形成し、該軸孔の軸孔口（Ｂ）、（Ｂ’）は、第１孔部（Ａ）と、第２孔部（Ａ’）に対応する。軸桿（３４）は、本体（３１）の第１孔部（Ａ）から挿入し、軸孔口（Ｂ）、（Ｂ’）を経て、本体（３１）の第２孔部（Ａ’）に至るように設け、係合部材（３３）を本体（３１）に回動自在に設ける。
【００１９】
実施例において、係合部材（３３）の軸孔口（Ｂ）、（Ｂ’）を形成する一端はカム状に構成する（図５、６参照）。よって、係合部材（３３）が本体（３１）に係合する場合、調整部材（３２）に対して制動作用が発生し、調整部材（３２１）の拘止部（３２１）によって画板（５）を位置決めする。また、係合部材（３３）が本体（３１）に係合しない状態において、軸孔口（Ｂ）、（Ｂ’）を形成する一端は調整部材（３２）に接触しない。よって、調整部材（３２）を移動させることができる。また、係合部材（３２）の他端には突起部（３３１）を形成し、該係合部材（３２）を時計回り、もしくは反時計回りに回転させる操作に供する。
【００２０】
以上はこの発明の好ましい実施例であって、この発明の実施の範囲を限定するものではない。よって、当業者のなし得る修正、もしくは変更であって、この発明の精神の下においてなされ、この発明に対して均等の効果を有するものは、いずれも本発明の特許請求の範囲に属するものとする。
【図面の簡単な説明】
【００２１】
【図１】従来のイーゼルの斜視図である。
【図２】この発明による挟持構造を具えたイーゼルの斜視図である。
【図３】この発明による挟持構造の分解斜視図である。
【図４】図３における挟持構造を組み立てた状態の斜視図である。
【図５】図４のＡ−Ａ線の断面であって、係合部材が調整部材に接した状態を表す説明図である。
【図６】図４のＡ−Ａ線の断面であって、係合部材が調整部材に接しない状態を表す説明図である。
【符号の説明】
【００２２】
３  挟持構造
３１  本体
３１１  開口端      
３２  調整部材
３３  係合部材
３２１  突起部
Ａ  第１孔部
Ａ’  第２孔部
４  支持脚
５  画板
【図１】
2005342346.tif 000003
【図２】
2005342346.tif 000004
【図３】
2005342346.tif 000005
【図４】
2005342346.tif 000006
【図５】
2005342346.tif 000007
【図６】
2005342346.tif 000008